(57)【要約】【課題】背もたれ部の構成において自由度を増して商品価値を大幅に高める。【解決手段】座部１と背もたれ部２とを備えたマッサージ機である。背もたれ部２は、もみ玉３の可動域となる開口部４を形成した硬質のバックボード５と、バックボード５の前面に付設されるクッション８と、バックボード５の背部に配されてもみ玉３を可動自在に開口部４に臨ませて保持する機構部フレーム６と、機構部フレーム６の背面を覆う硬質のバックカバー７とで構成する。機構部フレーム６をバックボード５とバックカバー７とで構成される空間に収める。クッション８の側部を少なくてもバックボード５の側部より側方に張り出している。【選択図】        図１
2004222744.tif 000002
【特許請求の範囲】
【請求項１】
座部と背もたれ部とを備えたマッサージ機であって、背もたれ部は、もみ玉の可動域となる開口部を形成した硬質のバックボードと、バックボードの前面に付設されるクッションと、バックボードの背部に配されてもみ玉を可動自在に開口部に臨ませて保持する機構部フレームと、機構部フレームの背面を覆う硬質のバックカバーとで構成し、機構部フレームをバックボードとバックカバーとで構成される空間に収め、クッションの側部を少なくてもバックボードの側部より側方に張り出して成ることを特徴とするマッサージ機。
【請求項２】
クッション材を芯材として備えたクッションの背部に硬質の固定板を設け、固定板をバックボードに固定して成ることを特徴とする請求項１記載のマッサージ機。
【請求項３】
固定板とバックボードとを貫通するピンにて固定して成ることを特徴とする請求項２記載のマッサージ機。
【請求項４】
バックボードの開口部の縁部に接続リブを形成し、開口部に臨んでもみ玉を覆うもみ玉カバーの縁部に硬質の接続片を設け、接続片を接続リブに接続して成ることを特徴とする請求項１記載のマッサージ機。
【請求項５】
接続片を接続リブに掛け止めして成ることを特徴とする請求項４記載のマッサージ機。
【発明の詳細な説明】
【０００１】
【発明の属する技術分野】
本発明は、マッサージ機に関し、詳しくは、背もたれ部の構成において自由度を増して商品価値を大幅に高めようとする技術に係るものである。
【０００２】
【従来の技術】
従来、座部１ａと背もたれ部２ａとを備えたマッサージ機Ａａにおいては、図１１に示すように、バックボード５ａに開口部４ａを形成し、開口部４ａに駆動機構による可動されるもみ玉を配設し、バックボード５ａの全体にシート状の表装材Ｓを被せるものである。（例えば、特許文献１参照）
ところで、特許文献１においては、バックボード５ａの全体にシート状の表装材Ｓを被せるものであることから、背もたれ部２ａの形状は、バックボード５ａの形状に制限され、外観の自由度が少なく、バックボード５ａの開口部４ａの両側部においてクッション性を付与し難く、硬質のバックボード５ａを覆う布製の表装材Ｓを傷めやすく、経時変化と相まって劣化が早く、布製においてはロット毎の外観を安定化させ難く、商品価値を高め難いという問題がある。
【０００３】
【特許文献１】
特開平１１−１９７２０５号公報
【０００４】
【発明が解決しようとする課題】
本発明はこのような問題に鑑みてなされたものであり、背もたれ部の構成において自由度を増して商品価値を大幅に高めることができるマッサージ機を提供することを目的とするものである。
【０００５】
【課題を解決するための手段】
請求項１の発明においては、座部１と背もたれ部２とを備えたマッサージ機であって、背もたれ部２は、もみ玉３の可動域となる開口部４を形成した硬質のバックボード５と、バックボード５の前面に付設されるクッション８と、バックボード５の背部に配されてもみ玉３を可動自在に開口部４に臨ませて保持する機構部フレーム６と、機構部フレーム６の背面を覆う硬質のバックカバー７とで構成し、機構部フレーム６をバックボード５とバックカバー７とで構成される空間に収め、クッション８の側部を少なくてもバックボード５の側部より側方に張り出していることを特徴とするものである。
【０００６】
このような構成によれば、硬質のバックボード５とバックカバー７との間に機構部フレーム６を収め、バックボード５の前面にクッション８を少なくても側方に張り出して付設することによって背もたれ部２を構成することができ、背もたれ部２はバックボード５の形状に規制を受けることがなく、バックボード５に布製の表装材を被せることもなく、バックボード５の前面にクッション８を付設すればよく、少なくともバックボード５の側方に張り出すことで良好なクッション性を付与しながら背もたれ部２の構成に自由度も持たせることができ、更に、硬質のバックボード５及びバックカバー７を例えば樹脂成形品にできるから、背もたれ部２の側部を含めた外観を樹脂成形品として安定的な生産を可能にしながら高めることができ、商品価値を大幅に高めることができる。
【０００７】
請求項２の発明においては、クッション材９を芯材として備えたクッション８の背部に硬質の固定板１０を設け、固定板１０をバックボード５に固定していることを特徴とするものである。このような構成によれば、クッション８をバックボード５に固定するのに際して固定板１０にておこなうことでクッション８にしわを生じさせることがなく、硬質の固定板１０によって張りを持たせることができ、この点においても外観を高めることができる。
【０００８】
請求項３の発明においては、固定板１０とバックボード５とを貫通するピン１１にて固定していることを特徴とするものである。このような構成によれば、クッション８をバックボード５に簡単に取り付けることができる。
【０００９】
請求項４の発明においては、バックボード５の開口部４の縁部に接続リブ１２を形成し、開口部４に臨んでもみ玉３を覆うもみ玉カバー１３の縁部に硬質の接続片１４を設け、接続片１４を接続リブ１２に接続していることを特徴とするものである。このような構成によれば、硬質のバックボード５の接続リブ１２にもみ玉カバー１３の硬質の接続片１４を接続することで、もみ玉カバー１３をバックボード５に安定的に取り付けることができる。
【００１０】
請求項５の発明においては、接続片１４を接続リブ１２に掛け止めしていることを特徴とするものである。このような構成によれば、もみ玉カバー１３をバックボード５に楽に取り付けることができ、背もたれ部２の組み立てを容易におこなえる。
【００１１】
【発明の実施の形態】
以下、本発明の実施の形態を説明する。図１は背もたれ部の概略分解斜視図である。図２は全体斜視図である。図５は座部フレームと機構部フレームとの連結構成を示す側面図である。
【００１２】
マッサージ機Ａは座部１と背もたれ部２とを備えた椅子形のものであり、座部フレーム１５に背もたれフレームとなる機構部フレーム６が枢支連結箇所１６において枢支連結され、また、足載せ部フレーム１７が回動箇所１８において枢支され、リクライニング駆動部１９及び足載せ部昇降駆動部２０の駆動によって機構部フレーム６をリクライニング動作し、また、足載せ部フレーム１７を回動して足載せ部２１を昇降可能に構成している。機構部フレーム６にはもみ玉３を備えたマッサージ機構を保持している。符号２２は操作器であり、上記マッサージ機構、リクライニング駆動部１９及び足載せ部昇降駆動部２０に動作指示を与えるものである。
【００１３】
図１に示すように、背もたれ部２は、もみ玉３の可動域となる開口部４と側壁部２３を形成した硬質のバックボード５と、バックボード５の前面に付設されるクッション８と、バックボード５の背部に配されてもみ玉３を可動自在に開口部４に臨ませて保持する略ロ字状の機構部フレーム６と、バックボード５に接続されて機構部フレーム６の背面を覆う硬質のバックカバー７とで構成している。バックボード５及びバックカバー７は硬質の樹脂成形品製で、機構部フレーム６は例えば金属製である。
【００１４】
図１、図８及び図９に示すように、バックボード５には多数の取付け孔２４を形成している。クッション８はクッション材９を芯材とし、クッション材９を例えば表布２５と裏布２６とで包み、裏布２６の背部に例えば合成樹脂製の固定板１０を配し、表布２５、裏布２６及び固定板１０を例えば縫製のような接続手段２７にて接続している。固定板１０には多数の孔２８を形成している。
【００１５】
しかして、固定板１０の孔２８に挿入したピン１１をバックボード５の取付け孔２４に抜止めを図って挿入することで、バックボード５の開口部４の両側部及び上部を覆ってクッション８をバックボード５に取付けている。この場合、クッション８はバックボード５の両側端から張り出していて、使用者の両肩、両脇背部等を弾性的に支持するようにしている。ところで、固定板１０をバックボード５に固定するのに際して、接着剤やファスナー等によってもよいものである。
【００１６】
図９に示すように、バックボード５の開口部４の縁部は内方に折り曲げられ、折り曲げ片２９の先端部には櫛歯状の接続リブ１２を多数形成している。クッション８の内縁部には、表裏布２５、２６、シート状のもみ玉カバー１３及び硬質で断面Ｊ字状の接続片１４を例えば縫製のような接続手段３０にて接続している。接続片１４には多数の接続孔３１を形成している。
【００１７】
しかして、接続片１４の接続孔３１をバックボード５の開口部４の縁部の櫛歯状の接続リブ１２に差し込み接続することで、クッション８の内縁部及びもみ玉カバー１３をバックボード５に固定し、クッション８及びもみ玉カバー１３の取り付けを楽におこなえ、かつ、もみ玉カバー１３によって開口部４及び昇降移動するもみ玉３を覆うようにしてバックボード５の開口部４に不測に指が入るのを防止して安全を図っている。
【００１８】
図１０に示すように、バックボード５の背部に座部フレーム１５に枢支連結されている機構部フレーム６をねじ３２にて固定し、機構部フレーム６の背部に配したバックカバー７をバックボード５にねじ３３にて固定してバックボード５とバックカバー７とで構成する空間に機構部フレーム６を収めている。
【００１９】
このように本発明においては、硬質のバックボード５とバックカバー７との間に機構部フレーム６を収め、バックボード５の前面にクッション８を側方に張り出して付設することによって背もたれ部２を構成することができるのである。このように構成した背もたれ部２はバックボード５の形状に規制を受けることがなく、バックボード５に布製の表装材を被せることもなく、バックボード５の前面にクッション８を付設すればよく、バックボード５の側方に張り出すことで良好なクッション性を付与しながら背もたれ部２の構成に自由度も持たせることができるのである。
【００２０】
更に、硬質のバックボード５及びバックカバー７を樹脂成形品とすることができることから、背もたれ部２の側部を含めた外観を樹脂成形品として安定的な生産を可能にしながら高めることができ、商品価値を大幅に高めることができるのである。
【００２１】
また、クッション材９を芯材として備えたクッション８の背部に硬質の固定板１０を設け、固定板１０をバックボード５に固定していることから、クッション８をバックボード５に固定するのに際して固定板１０にておこなうことでクッション８にしわを生じさせることがなく、硬質の固定板１０によって張りを持たせることができ、この点においても外観を高めることができるのである。
【００２２】
しかも、固定板１０とバックボード５とを貫通するピン１１にて固定していることから、クッション８をバックボード５に簡単に取り付けることができるのである。
【００２３】
更に、バックボード５の開口部４の縁部に接続リブ１２を形成し、開口部４に臨んでもみ玉３を覆うもみ玉カバー１３の縁部に硬質の接続片１４を設け、接続片１４を接続リブ１２に接続していることから、硬質のバックボード５の接続リブ１２にもみ玉カバー１３の硬質の接続片１４を接続することで、もみ玉カバー１３及びクッション８をバックボード５に安定的に取り付けることができるのである。
【００２４】
加えて、接続片１４を接続リブ１２に掛け止めしていることから、もみ玉カバー１３及びクッション８をバックボード５に楽に取り付けることができ、背もたれ部２の組み立てを容易におこなえるのである。
【００２５】
【発明の効果】
請求項１の発明においては、座部と背もたれ部とを備えたマッサージ機であって、背もたれ部は、もみ玉の可動域となる開口部を形成した硬質のバックボードと、バックボードの前面に付設されるクッションと、バックボードの背部に配されてもみ玉を可動自在に開口部に臨ませて保持する機構部フレームと、機構部フレームの背面を覆う硬質のバックカバーとで構成し、機構部フレームをバックボードとバックカバーとで構成される空間に収め、クッションの側部を少なくてもバックボードの側部より側方に張り出しているから、硬質のバックボードとバックカバーとの間に機構部フレームを収め、バックボードの前面にクッションを少なくても側方に張り出して付設することによって背もたれ部を構成することができ、背もたれ部はバックボードの形状に規制を受けることがなく、バックボードに布製の表装材を被せることもなく、バックボードの前面にクッションを付設すればよく、少なくともバックボードの側方に張り出すことで良好なクッション性を付与しながら背もたれ部の構成に自由度も持たせることができ、更に、硬質のバックボード及びバックカバーを例えば樹脂成形品にできるから、背もたれ部の側部を含めた外観を樹脂成形品として安定的な生産を可能にしながら高めることができ、商品価値を大幅に高めることができるという利点がある。
【００２６】
請求項２の発明においては、請求項１の効果に加えて、クッション材を芯材として備えたクッションの背部に硬質の固定板を設け、固定板をバックボードに固定しているから、クッションをバックボードに固定するのに際して固定板にておこなうことでクッションにしわを生じさせることがなく、硬質の固定板によって張りを持たせることができ、この点においても外観を高めることができるという利点がある。
【００２７】
請求項３の発明においては、請求項２の効果に加えて、固定板とバックボードとを貫通するピンにて固定しているから、クッションをバックボードに簡単に取り付けることができるという利点がある。
【００２８】
請求項４の発明においては、請求項１の効果に加えて、バックボードの開口部の縁部に接続リブを形成し、開口部に臨んでもみ玉を覆うもみ玉カバーの縁部に硬質の接続片を設け、接続片を接続リブに接続しているから、硬質のバックボードの接続リブにもみ玉カバーの硬質の接続片を接続することで、もみ玉カバーをバックボードに安定的に取り付けることができるという利点がある。
【００２９】
請求項５の発明においては、請求項４の効果に加えて、接続片を接続リブに掛け止めしているから、もみ玉カバーをバックボードに楽に取り付けることができ、背もたれ部の組み立てを容易におこなえるという利点がある。
【図面の簡単な説明】
【図１】本発明の実施の一形態を示す背もたれ部の概略分解斜視図である。
【図２】同上の全体斜視図である。
【図３】同上の正面図である。
【図４】同上の側面図である。
【図５】同上の座部フレームと機構部フレームとの連結構成を示す側面図である。
【図６】同上の正面図である。
【図７】同上の背面図である。
【図８】同上の背もたれ部を示し、（ａ）は部分正面図、（ｂ）は部分背面図である。
【図９】（ａ）は図８（ａ）のＢ−Ｂ線断面図、（ｂ）はバックボードの開口部の縁部の接続リブを示す部分斜視図である。
【図１０】同上のバックボード、バックカバー及び機構部フレームとの接続構造を示す部分断面図である。
【図１１】従来例を示し、（ａ）は全体斜視図、（ｂ）はバックボードの斜視図である。
【符号の説明】
１    座部
２    背もたれ部
３    もみ玉
４    開口部
５    バックボード
６    機構部フレーム
７    バックカバー
８    クッション
９    クッション材
１０  固定板
１１  ピン
１２  接続リブ
１３  もみ玉カバー
１４  接続片
【図１】
2004222744.tif 000003
【図２】
2004222744.tif 000004
【図３】
2004222744.tif 000005
【図４】
2004222744.tif 000006
【図５】
2004222744.tif 000007
【図６】
2004222744.tif 000008
【図７】
2004222744.tif 000009
【図８】
2004222744.tif 000010
【図９】
2004222744.tif 000011
【図１０】
2004222744.tif 000012
【図１１】
2004222744.tif 000013